(57)【特許請求の範囲】
【請求項１】
台枠部と、この台枠部の周囲から立設された支柱によって支持された段積み用支持枠部とから成り、入れ子式の積み重ねと段積みとを可能にしたパレットコンテナであって、前記台枠部が、４本の角パイプ材を矩形枠状に溶接して成る矩形状の外周枠と、この外周枠の内側に当該外周枠の上面より下げて架設された中間支持材と、この中間支持材上に載置され且つ前記外周枠の内側に略面一に嵌合する支持面形成材とから成り、この支持面形成材が、適当間隔おきに並列する下側線材と、当該下側線材に対し直交する状態で固着されて適当間隔おきに並列する上側線材とから成る網状体であって、当該支持面形成材の下側線材間に前記中間支持材が嵌合して、当該中間支持材が前記支持面形成材の上側線材を支持する、パレットコンテナ。
【発明の詳細な説明】
【０００１】
【発明の属する技術分野】
本発明は、入れ子式の積み重ね（スタッキング）と段積みとが可能なパレットコンテナに関するものである。
【０００２】
【従来の技術】
この種のパレットコンテナは、台枠部と、この台枠部の周囲から立設された支柱によって支持された段積み用支持枠部とから成るものであるが、従来のこの種のパレットコンテナでは、前記台枠部が、矩形状の外周枠とその内側に架設された中間支持材とから荒い碁盤目状に構成されたものであった。
【０００３】
【発明が解決しようとする課題】
上記のような従来の構成のパレットコンテナでは、布等で構成された袋状コンテナを台枠部上に搭載したとき、台枠部の大きな碁盤目状開口部に袋状コンテナの底面が深く食い込み、袋状コンテナの降ろし作業に支障を来したり、袋状コンテナの底面に損傷を与える恐れがあった。又、台枠部全体を表面面一に構成する関係から、外周枠と中間支持材とを上面面一に溶接すると共に各溶接部にグラインダー仕上げが必要になり、製造に手間がかかる問題点もあった。
【０００４】
【課題を解決するための手段】
本発明は上記のような従来の問題点を解消し得るパレットコンテナを提供することを目的とするものであって、その手段を後述する実施形態の参照符号を付して示すと、台枠部１と、この台枠部１の周囲から立設された支柱１１〜１４によって支持された段積み用支持枠部２とから成り、入れ子式の積み重ねと段積みとを可能にしたパレットコンテナであって、前記台枠部１が、４本の角パイプ材３〜６を矩形枠状に溶接して成る矩形状の外周枠７と、この外周枠７の内側に当該外周枠７の上面３２より下げて架設された中間支持材８，９と、この中間支持材８，９上に載置され且つ前記外周枠７の内側に略面一に嵌合する支持面形成材１０とから構成され、この支持面形成材１０は、適当間隔おきに並列する下側線材３０と、当該下側線材３０に対し直交する状態で固着されて適当間隔おきに並列する上側線材３１とから成る網状体であって、当該支持面形成材１０の下側線材３０間に前記中間支持材８，９を嵌合させて、当該中間支持材８，９が前記支持面形成材１０の上側線材３１を支持するように構成されている。
【０００６】
【発明の実施の形態】
以下に本発明の好適実施形態を添付図に基づいて説明すると、図１〜図５に於いて、１は矩形状の台枠部であり、２は段積み用支持枠部である。前記台枠部１は、４本の角パイプ材３〜６を矩形枠状に溶接して成る外周枠７と、この外周枠７の左右両角パイプ材５，６間に前後両角パイプ材３，４と平行に架設された角パイプ材利用の２本の中間支持材８，９と、当該中間支持材８，９上に載置固着された支持面形成材１０とから成り、前側角パイプ材３の両端と後側角パイプ材４の両端近傍後側とに、それぞれ角パイプ材利用の垂直支柱１１〜１４が固着立設され、これら４本の垂直支柱１１〜１４の上端に前記段積み用支持枠部２が取り付けられている。
【０００７】
前記段積み用支持枠部２は、台枠部１の左右両角パイプ材５，６の真上に位置する前後方向向きの断面山形材１５，１６を備えている。これら両断面山形材１５，１６の前端は、支持材１７，１８を介して前側左右一対の垂直支柱１１，１２の上端に固着され、両断面山形材１５，１６の後端は、後側左右一対の垂直支柱１３，１４の上端間に架設された連結材１９の両端上側に固着されている。又、両断面山形材１５，１６の後端には、位置決め用垂直板２０，２１が付設されている。
【０００８】
台枠部１の左右両角パイプ材５，６の真下には、段積み時に下側のパレットコンテナに於ける段積み用支持枠部２の断面山形材１５，１６に嵌合するように、溝形材２２，２３が前後方向向きに配設されている。これら左右一対の溝形材２２，２３の前端部は、前側左右一対の垂直支柱１１，１２の下端内側に隣接するように、これら垂直支柱１１，１２と台枠部１の前側角パイプ材３とに補強板２４，２５を介して固着され、両溝形材２２，２３の中間部と後端部とは、スペーサー２６，２７を介して台枠部１の左右両角パイプ材５，６に固着されている。なお、図５に示すように、台枠部１の左右両角パイプ材５，６の後端、後側左右一対の垂直支柱１３，１４の下端部、スペーサー２７、及び溝形材２２，２３の後端部は、補強板２８，２９を介して互いに固着されている。
【０００９】
台枠部１の支持面形成材１０は、図６及び図７にも示すように、適当間隔おきに並列する下側線材３０と、当該下側線材３０に対し直交する状態で固着されて適当間隔おきに並列する上側線材３１とから成る網状体から構成されている。しかして、台枠部１の中間支持材８，９は、外周枠７の上面３２に対し中間支持材８，９の上面３３が前記上側線材３１の直径（下側線材３０の直径も同一）分だけ下げられており、前記網状支持面形成材１０の下側線材３０間に中間支持材８，９が嵌合して、これら中間支持材８，９の上面３３が網状支持面形成材１０の上側線材３１を直接支持するように、網状支持面形成材１０が外周枠７の内側に嵌合し、当該網状支持面形成材１０の上面（上側線材３１の上端）と外周枠７の上面３２とが面一になるように構成されている。
【００１０】
なお、網状支持面形成材１０の周囲は、点溶接又は線溶接により外周枠７に固着することができる。又、中間支持材８，９の両端と外周枠７とは、当該中間支持材８，９の両端周囲に於いて溶接固着されるが、このとき中間支持材８，９の前後両垂直面と上面３３が外周枠７の内側垂直面との間に入り隅を形成するので、この入り隅部に於いて溶接することにより、溶接肉が外周枠７の上面３２より上方に突出することがない。即ち、溶接後のグラインダー仕上げは不要である。
【００１１】
上記構成のパレットコンテナは、台枠部１上（網状支持面形成材１０上）に荷を載置し、台枠部１の下側に前側角パイプ材３のある側から差し入れたフォークリフトのフォークにより持ち上げて搬送することができる。このとき、台枠部１を構成する左右方向向きの角パイプ材３，４及び中間支持材８，９がフォークにより支持される。このパレットコンテナをラックとして使用するときは、当該パレットコンテナを段積みすることができる。このとき、下側のパレットコンテナに於ける段積み用支持枠部２の左右一対の断面山形材１５，１６上に、上側のパレットコンテナに於ける台枠部１の左右両側辺下側にある溝形材２２，２３を嵌合させることにより、上下のパレットコンテナどうしを左右横方向に関して位置決めすることができる。又、下側のパレットコンテナに於ける前記断面山形材１５，１６の後端にある位置決め用垂直板２０，２１に、上側のパレットコンテナに於ける前記溝形材２２，２３の後端を当接させることにより、上下のパレットコンテナどうしを前後方向に関して位置決めすることができる。
【００１２】
パレットコンテナを荷の搬送やラックとして使用しないときは、図４に仮想線で示すように、入れ子式に積み重ねる（スタッキングする）ことができる。即ち、下側のパレットコンテナに於ける後側左右一対の垂直支柱１３，１４の前側に上側のパレットコンテナに於ける後側左右一対の垂直支柱１３，１４が隣接するように、下側のパレットコンテナの前側左右一対の垂直支柱１１，１２間より上側のパレットコンテナの台枠部１を嵌入させて、下側のパレットコンテナの台枠部１上に上側のパレットコンテナの台枠部１を積み重ねることにより、入れ子式に積み重ねる（スタッキングする）ことができる。
【００１３】
なお、台枠部１の支持面形成材１０は、上記実施形態に示した網状体から構成したものに限定されない。例えば、パンチングメタルやエキスパンドメタル、或いは、縦向き線材と横向き線材とを織成して成るネット等から支持面形成材１０を構成することもできる。勿論、場合によっては、金属やプラスチック等から成るプレートを利用することも可能である。
【００１４】
【発明の効果】
以上のように実施し得る本発明のパレットコンテナによれば、台枠部が、矩形状の外周枠と、この外周枠の内側に当該外周枠の上面より下げて架設された中間支持材と、この中間支持材上に載置され且つ前記外周枠の内側に略面一に嵌合する支持面形成材とから構成されているので、前記支持面形成材として、このパレットコンテナを利用して搬送や格納される荷を安定的に支持し得るものを使用することにより、仮に袋状コンテナを搭載する場合でも、当該袋状コンテナの底面部が台枠部の大きな碁盤目状開口部に深く食い込むような不都合を無くすことができる。即ち、袋状コンテナを取り扱う場合でも、当該袋状コンテナの降ろし作業に支障を来したり、袋状コンテナの底面に損傷を与える恐れが解消する。
【００１５】
又、支持面形成材を支持する中間支持材は、外周枠の内側に当該外周枠の上面より下げて架設されるので、当該中間支持材の両端上面と外周枠の内側垂直面との間に入り隅部が形成され、この入り隅部を利用して中間支持材と外周枠とを溶接することができる。即ち、中間支持材の両端と外周枠とを溶接するに際し、当該中間支持材の両側面と外周枠との間の入り隅部だけでなく、中間支持材の両端上面と外周枠の内側垂直面との間に入り隅部をも溶接して、中間支持材の取付強度を大きくしながら、台枠部上面に突出する溶接肉のグラインダー仕上げを不要にすることができる。
【００１６】
しかも本発明の構成によれば、軽量で安価に構成できる網状体を前記台枠部の支持面形成材として利用するので、パレットコンテナ全体の大巾な重量アップやコストアップを免れるばかりでなく、当該支持面形成材を構成する網状体の下側線材間に前記中間支持材を嵌合させて、当該中間支持材が前記支持面形成材の上側線材を支持するように構成するものであるから、中間支持材の厚さが薄くなる度合いを最小限に抑えて強度が低下するのを防止できると共に、網状支持面形成材の上側線材と中間支持材との間に下側線材が介在する場合と比較して、荷支持によって上側線材が局部的に変形する恐れを少なくすることができる。
【図面の簡単な説明】
【図１】全体の斜視図である。
【図２】一部切り欠き平面図である。
【図３】正面側の端面図である。
【図４】入れ子式積み重ね状態を仮想線で示す側面図である。
【図５】背面側の端面図である。
【図６】台枠部の要部を示す縦断側面図である。
【図７】同縦断正面図である。
【符号の説明】
１    矩形状の台枠部
２    段積み用支持枠部
７    外周枠
８，９    中間支持材
１０    支持面形成材
１１〜１４    垂直支柱
１５，１６    断面山形材
２２，２３    溝形材
３０    下側線材
３１    上側線材
【図１】
0003620393.tif 000002
【図２】
0003620393.tif 000003
【図３】
0003620393.tif 000004
【図４】
0003620393.tif 000005
【図５】
0003620393.tif 000006
【図６】
0003620393.tif 000007
【図７】
0003620393.tif 000008